(57)【要約】【課題】  フォーカスコイルによる電磁力を有効に利用してフォーカス方向の感度を向上させ、また、可動部の剛性を向上させて可動部の高次共振周波数を高くするとともに高次共振時の振動レベルを低減させ、高い周波数で良好な光ディスク追従特性を発揮する光ピックアップを提供する。【解決手段】  光ピックアップ１は、対物レンズ２が可動部３のほぼ中央に配置され、可動部の本体部２０の外周面２１全周にフォーカスコイルが巻回され、トラッキングコイル８が可動部本体部２０の外周面に取付けられ、可動部が支持ワイヤ４を介して移動可能に支持されている。可動部本体部２０を平面視で六角形とすることにより、各トラッキングコイルをトラッキング方向に対して斜めに配置し、永久磁石９をトラッキングコイル８に対向して配置した。【選択図】    図１
2005129191.tif 000002
【特許請求の範囲】
【請求項１】
対物レンズが可動部のほぼ中央に配置され、この可動部が支持ワイヤを介して移動可能に支持された光ピックアップであって、
前記可動部の本体部を平面視で、矩形以外の偶数多面形状、または前記対物レンズに沿う弧状部を有する所定形状とし、
複数のトラッキングコイルまたは永久磁石を、トラッキング方向に対して斜めに配置して前記可動部本体部の外周面に取付け、
前記トラッキングコイルとの間で磁気回路を構成する永久磁石を前記トラッキングコイルに対向して配置するか、または前記永久磁石との間で磁気回路を構成する複数のトラッキングコイルを前記永久磁石に対向して配置したことを特徴とする光ピックアップ。
【請求項２】
対物レンズが可動部のほぼ中央に配置され、この可動部の本体部の外周面全周にフォーカスコイルが巻回され、少なくとも一対のトラッキングコイルが前記可動部本体部の外周面に取付けられ、前記可動部が支持ワイヤを介して移動可能に支持された光ピックアップであって、
前記可動部本体部を平面視で矩形以外の偶数多面形状とすることにより、前記各トラッキングコイルをトラッキング方向に対して斜めに配置し、
前記フォーカスコイルと前記トラッキングコイルとの間でそれぞれ磁気回路を構成する永久磁石を、前記トラッキングコイルに対向して配置したことを特徴とする光ピックアップ。
【請求項３】
対物レンズが可動部のほぼ中央に配置され、この可動部の本体部の外周面全周にフォーカスコイルが巻回され、少なくとも一対のトラッキングコイルが前記可動部本体部の外周面に取付けられ、前記可動部が支持ワイヤを介して移動可能に支持された光ピックアップであって、
前記可動部本体部を、平面視で前記対物レンズに沿う円弧部，楕円部または長円部を有する所定形状とすることにより、前記各トラッキングコイルを、前記外周面のうち前記円弧部，前記楕円部または前記長円部に取付けてトラッキング方向に対して斜めに配置し、
前記フォーカスコイルと前記トラッキングコイルとの間でそれぞれ磁気回路を構成する永久磁石を、前記トラッキングコイルに対向して配置したことを特徴とする光ピックアップ。
【請求項４】
対物レンズが可動部のほぼ中央に配置され、少なくとも一対の永久磁石が前記可動部の本体部の外周面に取付けられ、前記可動部が支持ワイヤを介して移動可能に支持された光ピックアップであって、
前記可動部の本体部を平面視で矩形以外の偶数多面形状とすることにより、前記各永久磁石をトラッキング方向に対して斜めに配置し、
前記永久磁石との間でそれぞれ磁気回路を構成するフォーカスコイルと少なくとも一対のトラッキングコイルとを、前記永久磁石に対向して配置したことを特徴とする光ピックアップ。
【請求項５】
前記可動部本体部を平面視で六角形または八角形に形成することにより、前記外周面は前記トラッキング方向に対して斜めの複数の傾斜面を有し、
前記各トラッキングコイルまたは前記永久磁石を前記傾斜面にそれぞれ取付けたことを特徴とする請求項１，２または４に記載の光ピックアップ。
【請求項６】
前記永久磁石は、前記トラッキングコイルの一対の縦巻線部のうちのいずれか一方にのみ対向するように、前記トラッキングコイルに対して相対的に位置ずれし、且つ前記トラッキングコイルとほぼ平行に配置されていることを特徴とする請求項１ないし５のいずれかの項に記載の光ピックアップ。
【請求項７】
前記永久磁石は、前記トラッキングコイルの全体に対向してこのトラッキングコイルとほぼ平行に配置されていることを特徴とする請求項１ないし５のいずれかの項に記載の光ピックアップ。
【発明の詳細な説明】
【技術分野】
【０００１】
本発明は、光ディスクの記録面上に対物レンズで光を集光させて情報の記録，再生などを行う光ピックアップに関する。
【背景技術】
【０００２】
光ピックアップは、光ディスク再生装置および光ディスク記録再生装置などの光ディスク装置に使用される。光ピックアップは、記録媒体である光ディスクの記録面上に光たとえばレーザー光を集光させて、情報の記録，再生などを行うための装置である。
光ピックアップは可動部を有しており、この可動部は、複数の支持ワイヤを介して支持台に支持されて移動可能になっている。
【０００３】
図８は、従来の光ピックアップの要部の平面図である。図８に示すように、光ピックアップ１０１の可動部１０２には、レーザー光を集光させるための対物レンズ１０３が設けられている。
通常は、光ディスクに対する対物レンズ１０３の位置を調整するためのフォーカスコイル１０４とトラッキングコイル１０５も、可動部１０２に設けられている。永久磁石１０６は、トラッキングコイル１０５に対向して配置されている。
トラッキングコイル１０５と永久磁石１０６は、トラッキング方向（光ディスクの半径方向であり、Ｚ方向）と平行に配置されており、トラッキングコイル１０５は、可動部１０２の本体部１０７の外周面（側面）に取付けられている。
【０００４】
フォーカスコイル１０４とトラッキングコイル１０５に電流を供給すると、フォーカスコイル１０４とトラッキングコイル１０５にそれぞれ電磁力が生じる。この電磁力により、可動部１０２がその基本位置（フォーカスコイルおよびトラッキングコイルに電流を供給しないときの所定の位置）から矢印Ｅに示すようにシフト（移動）して、対物レンズ１０３の位置が調整される。
また、特開２０００−２７５５０６号公報（特許文献１）には、光ピックアップ（対物レンズ支持装置および対物レンズ駆動装置）が記載されている。この光ピックアップは、可動部に永久磁石が取付けられ、この可動部に対向してフォーカスコイルとトラッキングコイルが配置されている。
【０００５】
図８に示す光ピックアップ１０１は、永久磁石１０６が固定側に配置され、フォーカスコイル１０４とトラッキングコイル１０５が可動部１０２に設けられて移動するので、「コイル移動（moving coil）タイプ（いわゆる、ＭＣタイプ）」と呼ばれている。
一方、特許文献１に記載の光ピックアップは、フォーカスコイルとトラッキングコイルが固定側に配置され、永久磁石が可動部に設けられて移動するので、「永久磁石移動（moving magnet）タイプ（いわゆる、ＭＭタイプ）」と呼ばれている。
【特許文献１】特開２０００−２７５５０６号公報
【発明の開示】
【発明が解決しようとする課題】
【０００６】
図８に示す可動部１０２や特許文献１に記載の可動部は平面視で矩形状なので、この可動部のフォーカスコイルは、永久磁石と対向する面積の割合いが小さくなりがちである。その結果、フォーカスコイルに関する電磁力の利用効率が低くなっていた。
図８に示す可動部１０２は、その本体部１０７が平面視で矩形で、二つの永久磁石１０６はトラッキング方向（Ｚ方向）と平行な二つの側面１０８に対向しているが、トラッキング方向と直交する残りの二つの側面１０９は、永久磁石には対向していない。
すなわち、本体部１０７の外周面全周に巻回されたフォーカスコイル１０４のうち、二つの側面１０８におけるフォーカスコイルによる電磁力は有効に利用されているが、残りの二つの側面１０９におけるフォーカスコイルによる電磁力は利用されていない。しかも、本体部１０７が矩形状なので、残りの側面１０９の長さ寸法Ｌ0は長い。
【０００７】
その結果、フォーカスコイル１０４全体のうちその電磁力を有効に利用している部分の割合（有効長さの割合）が低くなりがちなので、フォーカス方向（Ｘ方向）の感度の向上が望まれていた。
また、可動部が矩形状だと、その外周部は、対物レンズの中心位置に近い位置と遠い位置との寸法差が大きくなり、可動部全体の剛性が低くなる。その結果、可動部の高次共振周波数が低くなるとともに、高次共振時の振動レベルが高くなって、高い周波数での良好な光ディスク追従特性を発揮できなくなる恐れがあった。
【０００８】
本発明は、このような課題を解決するためになされたもので、フォーカスコイルによる電磁力を有効に利用してフォーカス方向の感度を向上させることができ、また、可動部の剛性を向上させてこの可動部の高次共振周波数を高くするとともに高次共振時の振動レベルを低減させ、高い周波数で良好な光ディスク追従特性を発揮する光ピックアップを提供することを目的とする。
【課題を解決するための手段】
【０００９】
上述の目的を達成するため、本発明にかかる光ピックアップは、対物レンズが可動部のほぼ中央に配置され、この可動部が支持ワイヤを介して移動可能に支持された光ピックアップであって、前記可動部の本体部を平面視で、矩形以外の偶数多面形状、または前記対物レンズに沿う弧状部を有する所定形状とし、複数のトラッキングコイルまたは永久磁石を、トラッキング方向に対して斜めに配置して前記可動部本体部の外周面に取付け、前記トラッキングコイルとの間で磁気回路を構成する永久磁石を前記トラッキングコイルに対向して配置するか、または前記永久磁石との間で磁気回路を構成する複数のトラッキングコイルを前記永久磁石に対向して配置している。
好ましい実施態様にかかる光ピックアップは、対物レンズが可動部のほぼ中央に配置され、この可動部の本体部の外周面全周にフォーカスコイルが巻回され、少なくとも一対のトラッキングコイルが前記可動部本体部の外周面に取付けられ、前記可動部が支持ワイヤを介して移動可能に支持された光ピックアップであって、前記可動部本体部を平面視で矩形以外の偶数多面形状とすることにより、前記各トラッキングコイルをトラッキング方向に対して斜めに配置し、前記フォーカスコイルと前記トラッキングコイルとの間でそれぞれ磁気回路を構成する永久磁石を、前記トラッキングコイルに対向して配置している。
また、変形例にかかる光ピックアップは、対物レンズが可動部のほぼ中央に配置され、この可動部の本体部の外周面全周にフォーカスコイルが巻回され、少なくとも一対のトラッキングコイルが前記可動部本体部の外周面に取付けられ、前記可動部が支持ワイヤを介して移動可能に支持された光ピックアップであって、前記可動部本体部を平面視で、前記対物レンズに沿う円弧部，楕円部または長円部を有する所定形状とすることにより、前記各トラッキングコイルを、前記外周面のうち前記円弧部，前記楕円部または前記長円部に取付けてトラッキング方向に対して斜めに配置し、前記フォーカスコイルと前記トラッキングコイルとの間でそれぞれ磁気回路を構成する永久磁石を、前記トラッキングコイルに対向して配置した場合であってもよい。
他の変形例にかかる光ピックアップは、対物レンズが可動部のほぼ中央に配置され、少なくとも一対の永久磁石が前記可動部の本体部の外周面に取付けられ、前記可動部が支持ワイヤを介して移動可能に支持された光ピックアップであって、前記可動部の本体部を平面視で矩形以外の偶数多面形状とすることにより、前記各永久磁石をトラッキング方向に対して斜めに配置し、前記永久磁石との間でそれぞれ磁気回路を構成するフォーカスコイルと少なくとも一対のトラッキングコイルとを、前記永久磁石に対向して配置した場合であってもよい。
前記実施態様および変形例にかかる光ピックアップにおいて、前記可動部本体部を平面視で六角形または八角形に形成することにより、前記外周面は前記トラッキング方向に対して斜めの複数の傾斜面を有し、前記各トラッキングコイルまたは前記永久磁石を前記傾斜面にそれぞれ取付けるのが好ましい。
たとえば、前記永久磁石は、前記トラッキングコイルの一対の縦巻線部のうちのいずれか一方にのみ対向するように、前記トラッキングコイルに対して相対的に位置ずれし、且つ前記トラッキングコイルとほぼ平行に配置されている。
他の例として、前記永久磁石は、前記トラッキングコイルの全体に対向してこのトラッキングコイルとほぼ平行に配置されているのが好ましい。
【発明の効果】
【００１０】
本発明の光ピックアップは、上述のように構成したので、フォーカスコイルによる電磁力を有効に利用してフォーカス方向の感度を向上させることができ、また、可動部の剛性を向上させてこの可動部の高次共振周波数を高くするとともに高次共振時の振動レベルを低減させ、高い周波数で良好な光ディスク追従特性を発揮することができる。
【発明を実施するための最良の形態】
【００１１】
下記の各実施例（変形例を含む）では、光ピックアップの可動部の本体部を平面視で、矩形以外の偶数多面形状、または対物レンズに沿う弧状部を有する所定形状とし、複数のトラッキングコイルまたは永久磁石を、トラッキング方向に対して斜めに配置して可動部本体部の外周面に取付けることにより、フォーカスコイルによる電磁力を有効に利用してフォーカス方向の感度を向上させ、また、可動部の剛性を向上させるという目的を実現している。
【実施例】
【００１２】
以下、本発明にかかる実施例を、図１ないし図７を参照して説明する。
図１ないし図５は本発明の一実施例を示す図で、図１は光ピックアップの平面図、図２，図３は、それぞれ図１に示す光ピックアップの要部の斜視図，平面図である。
図１〜図７に示す本発明の光ピックアップ１，１ａ〜１ｆ，１１は、対物レンズが可動部のほぼ中央に配置され、この可動部が支持ワイヤを介して移動可能に支持されている。可動部の本体部は平面視で、矩形以外の偶数多面形状、または対物レンズに沿う弧状部を有する所定形状になっている。複数のトラッキングコイルまたは永久磁石は、トラッキング方向に対して斜めに配置され、可動部本体部の外周面に取付けられている。
【００１３】
トラッキングコイルが可動部に取付けられている場合、このトラッキングコイルとの間で磁気回路を構成する永久磁石が、トラッキングコイルに対向して配置されている。また、この変形例として、永久磁石が可動部に取付けられている場合、この永久磁石との間で磁気回路を構成する複数のトラッキングコイルが、永久磁石に対向して配置されている。
前記構成の光ピックアップ１，１ａ〜１ｆ，１１によれば、フォーカスコイルによる電磁力を有効に利用してフォーカス方向の感度を向上させることができる。また、可動部の剛性を向上させて、この可動部の高次共振周波数を高くするとともに高次共振時の振動レベルを低減させ、高い周波数で良好な光ディスク追従特性が発揮される。
【００１４】
図１ないし図７に示す各実施例および各種変形例において、光ディスク装置（図示せず）に使用される光ピックアップ１，１ａ〜１ｆ，１１は、移動機構（図示せず）により、記録媒体である光ディスクの半径方向に制御されつつ移動可能になっている。光ピックアップ１，１ａ〜１ｆ，１１は、対物レンズ２が可動部のほぼ中央に配置された「レンズセンタータイプ」の光ピックアップである。
光ディスク装置において、光ディスクが駆動モータにより回転駆動されている状態で、移動機構で所望の位置に光ピックアップ１，１ａ〜１ｆ，１１を移動させる。そして、光ピックアップ１，１ａ〜１ｆ，１１は、光ディスクの記録面上に対物レンズ２で光（たとえば、レーザー光）を集光させて、光ディスクに対して情報の記録，再生などを行う。
光ディスクとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１５】
図１ないし図３に示す実施例にかかる光ピックアップ１は、可動部３，支持台５およびヨーク部（継鉄部）６などを有している。
可動部３には、光ディスクの記録面上に光を集光させるための対物レンズ２と、フォーカスコイル７と、トラッキングコイル８とが設けられている。フォーカスコイル７とトラッキングコイル８に電流を流すことにより、光ディスクに対する対物レンズ２の位置を調整可能である。
なお、説明の便宜上、対物レンズ２の光軸Ｂと平行な方向すなわちフォーカス方向をＸ方向とし、光ディスク側，反光ディスク側をそれぞれ上方向，下方向とする。このＸ方向と直交する方向（光ディスクの半径方向）すなわちトラッキング方向をＺ方向とし、Ｘ方向およびＺ方向と直交する方向をＹ方向とする。特に、図１の左右方向を光ピックアップ１の左右方向（Ｚ方向）とする。
【００１６】
支持台５は、磁性体からなるヨーク部６に取付けられている。支持台５は、複数（ここでは、四本）の支持ワイヤ４を支持し、この四本の支持ワイヤ４を介して可動部３を移動可能に支持している。
フォーカスコイル７とトラッキングコイル８には、支持ワイヤ４を介して電流が供給される。フォーカスコイル７とトラッキングコイル８との間でそれぞれ磁気回路を構成する永久磁石９が、ヨーク部６の所定位置に取付けられている。
可動部３に設けられた一つのフォーカスコイル７は、可動部３をフォーカス方向（対物レンズ２の光軸Ｂと平行な方向（Ｘ方向））に移動させることができる。少なくとも一対（本実施例では、合計四つ）のトラッキングコイル８は、可動部３をトラッキング方向（光ディスクの半径方向（Ｚ方向））に移動させることができる。
【００１７】
可動部３は、平面視で矩形以外の偶数多面形状（本実施例では、平面視で六角形）の本体部２０を有している。本体部２０は、絶縁性を有する樹脂材料などにより一体的に形成されている。本体部２０が平面視で正六角形の場合を示しているが、若干異形の六角形であってもよい。
対物レンズ２，フォーカスコイル７およびトラッキングコイル８などは、本体部２０の所定位置に設けられている。本体部２０に支持された対物レンズ２は、光ディスクの記録面上にレーザー光などの光を集光させる。
【００１８】
一つのフォーカスコイル７は、その巻軸が対物レンズ２の光軸Ｂと平行（Ｘ方向と平行）になるように、本体部２０の外周面２１の全周に巻回されている。
四つのトラッキングコイル８は、本体部２０の外周面２１に取付けられている。各トラッキングコイル８の巻軸の方向は、光軸Ｂと直交する方向を向いている。すなわち、トラッキングコイル８の巻線は、その巻軸方向がフォーカスコイル７の巻軸方向に対して直角になるように巻回されている。
【００１９】
本体部２０が六角形に形成されることにより、外周面２１はトラッキング方向（Ｚ方向）に対して斜めの複数（本実施例では、四つ）の傾斜面２２を有している。各トラッキングコイル８は、傾斜面２２に（および／または、フォーカスコイル７に）取付けられているので、トラッキング方向（Ｚ方向）に対して斜めに配置されている。
トラッキングコイル８は、巻線が矩形環状に巻回された空心コイルであり、傾斜面２２（または、フォーカスコイル７）に接着剤などで貼り付けられている。なお、トラッキングコイル８は、空心コイルに代えて、本体部２０の傾斜面２２に巻枠（ボビン）を一体的に形成し、この巻枠に巻線を巻回した場合であってもよい。
トラッキングコイル８は、縦方向（Ｘ方向）を向く一対の縦巻線部２３ａ，２３ｂと、横方向（Ｘ方向と直交する面）を向く上下の横巻線部２４とを有して、矩形環状をなしている。
【００２０】
ヨーク部６は、光ディスク装置のケースまたはベース部材（図示せず）などの固定側に固定され、所定形状に形成されている。ヨーク部６は、平面視でほぼ矩形の板状に形成され光ディスク装置の固定側に取付けられた基台２５と、基台２５にほぼ直角に固定され且つフォーカスコイル７より内方側に配置された複数（ここでは、四つ）のヨーク３０と、基台２５にほぼ直角に固定され且つ可動部３の外側に配置された複数（ここでは、四つ）の磁石支持用ヨーク２６とを有している。
ヨーク３０と磁石支持用ヨーク２６は、それぞれほぼ矩形状を有し基台２５に突出して設けられ、傾斜面２２とほぼ平行になるように所定の位置に配置されている。本体部２０の下面側には、フォーカスコイル７の内側に位置し且つ本体部２０の下方に開口する四つの凹部が形成されている。各ヨーク３０は、この凹部の内周面との間に間隙を保持した状態で凹部内に配置されている。なお、このヨーク３０を省略した場合でもよい。
【００２１】
少なくとも一対（本実施例では、合計四つ）の永久磁石９が、トラッキングコイル８に対向して配置され、ヨーク部６に取付けられている。永久磁石９は、フォーカスコイル７とトラッキングコイル８に対応して、トラッキングコイル８とほぼ平行に配置されている。
永久磁石９は、磁石支持用ヨーク２６に（または、直接基台２５に）接着剤により固着されている。永久磁石９は、トラッキング方向（Ｚ方向）に対して斜め方向を向いており、トラッキングコイル８に対向しこれと平行に配置されている。永久磁石９に対向しこれと平行に配置されているヨーク３０も、トラッキング方向（Ｚ方向）に対して斜め方向を向いている。
【００２２】
永久磁石９は、フォーカスコイル７とトラッキングコイル８との間でそれぞれ磁気回路を構成している。すなわち、フォーカスコイル７と、その内方に配置されたヨーク３０と、フォーカスコイル７の外方に配置された永久磁石９などとの間で磁気回路が構成されている。
本体部２０の外周面２１において、隣り合う二つの傾斜面２２，２２にそれぞれ取付けられたトラッキングコイル８は、このトラッキングコイル８にそれぞれ対向している永久磁石９とヨーク３０とが形成する磁界中に配置されて、磁気回路を構成している。
トラッキングコイル８は、永久磁石９の磁束が鎖交するように配置されている。支持台５に近い方の二つの各傾斜面２２において、トラッキングコイル８と永久磁石９とヨーク３０とにより構成される二組の磁気回路は、ほぼ左右対称形に形成されている。
また、支持台５から遠い方の二つの各傾斜面２２においても、トラッキングコイル８と永久磁石９とヨーク３０とにより構成される二組の磁気回路は、ほぼ左右対称形に形成されている。
【００２３】
永久磁石９は、トラッキングコイル８の一対の縦巻線部２３ａ，２３ｂのうちのいずれか一方にのみ対向するように、トラッキングコイル８に対して相対的に位置ずれし、且つトラッキングコイル８とほぼ平行に配置されている。
すなわち、永久磁石９は、トラッキングコイル８の一対の縦巻線部２３ａ，２３ｂのうち一方の縦巻線部（ここでは、左右方向の中央側に位置する縦巻線部２３ａ）に対向するが、他方の縦巻線部（ここでは、中央側より離れた方の縦巻線部２３ｂ）には対向していない。永久磁石９の位置が、トラッキングコイル８に対して相対的に平行に位置ずれしている。
これにより、永久磁石９の磁束は、一方の縦巻線部２３ａには鎖交するが、他方の縦巻線部２３ｂには鎖交しない。その結果、一方の縦巻線部２３ａにより生じる電磁力により、可動部３がトラッキング方向（Ｚ方向）に移動することができる。なお、永久磁石９が、縦巻線部２３ｂに対向するが、縦巻線部２３ａには対向しない場合であってもよい。
また、永久磁石９は、できるだけトラッキングコイル８に近づけて配置されているので、大きな電磁力を得ることができる。
【００２４】
支持ワイヤ４は、可動部３の両側にＹ方向とほぼ平行にそれぞれ二本ずつ合計四本設けられている。支持ワイヤ４は、その一端部が可動部３側に固定され、他端部が支持台５側に固定されている。
可動部３は、四本の支持ワイヤ４を介して、支持台５とヨーク部６との間の空間に浮いている格好で取付けられる。したがって、可動部３は、移動や揺動などの動作を行なって、可動部３の状態（可動部の位置，姿勢など）を自在に変化させることができる。なお、可動部３の位置や姿勢をより精密に制御する場合には、チルトコイルなどを別途設けるのが好ましい。
可動部３は、フォーカスコイル７とトラッキングコイル８に電流が供給されていないときの基本位置から、フォーカスコイル７とトラッキングコイル８の一方または両方に電流を供給することにより、上下方向（Ｘ方向）や左右方向（Ｚ方向）にシフト（移動）することができる。
「可動部３の基本位置」とは、たとえば、フォーカスコイル７とトラッキングコイル８に電流を供給しないで可動部３が静止している状態で、トラッキングコイル８がヨーク３０や永久磁石９などに対して右側および左側において等距離に位置し、可動部３がヨーク基台２５と平行に位置し、可動部３の上下，左右の中心線がともに基準線（図示せず）と一致しているときの可動部３の位置をいう。
【００２５】
支持台５には、支持ワイヤ４が接続されるプリント配線板２７が接着剤などで固着されている。プリント配線板２７には、支持ワイヤ４を係合させるための複数（ここでは、四つ）の孔が所定位置に穿設されている。
支持台５には、複数（ここでは、四つ）の貫通孔が所定位置に穿設されている。支持ワイヤ４は支持台５の貫通孔を貫通し、支持ワイヤ４の他端部は、プリント配線板２７の孔に係合し、プリント配線板２７と電気的に接続されて支持台５に固定されている。
本体部２０には、複数（ここでは、四個）の突起部２８が突出形成され、支持ワイヤ４の一端部は、半田で突起部２８に接続固定されている。突起部２８には、フォーカスコイル７またはトラッキングコイル８の巻線の端部が巻き付けられている。
【００２６】
支持ワイヤ４の先端が、突起部２８に半田付けされることにより、支持ワイヤ４と、フォーカスコイル７またはトラッキングコイル８とが、電気的に接続されている。
本体部２０には、支持ワイヤ４と係合する複数（ここでは、四つ）の支持部２９が突出形成され、支持部２９には貫通孔３１が穿設されている。この貫通孔３１に支持ワイヤ４が挿通されることにより、可動部３が、支持部２９を介して支持ワイヤ４に支持されている。
一つのフォーカスコイル７の巻線と四つのトラッキングコイル８の巻線は、支持ワイヤ４と、支持ワイヤ４が電気的に接続されたプリント配線板２７とによって、制御回路（図示せず）に電気的に接続されている。
【００２７】
光ピックアップ１は、図示しない光学系を有している。この光学系は、レーザー光を発生する半導体レーザーなど光源，光検出器，反射ミラー，レンズおよび回折格子などを有している。対物レンズ２も光学系に含まれる。
光検出器は、光ディスクの記録面で反射したレーザー光を受光し、再生信号を検出するとともに、光ディスクの記録面の高さ位置や傾きを検出し、フォーカスエラー信号，トラッキングエラー信号なども出力する。
【００２８】
次に、光ピックアップ１の動作について説明する。
まず、光ディスク装置において、光ディスクが駆動モータにより回転駆動されている状態で、移動機構により光ピックアップ１を所望の位置に移動させる。そして、光学系で発生したレーザー光を対物レンズ２で記録面上に集光させて、光ディスクに対して情報の記録，再生などを行う。
光ピックアップ１の状態（可動部３の位置，姿勢など）を制御する場合には、光検出器で検出された光ディスクの記録面の高さ位置や傾きなどに関する検出結果を、変換部で電気信号に変換して、制御部に電気信号として出力する。制御部では、変換部から出力された電気信号に基づいて、フォーカスコイル７とトラッキングコイル８にそれぞれ流す電流を制御する。
【００２９】
対物レンズ２をフォーカス方向（Ｘ方向）に移動させる場合には、制御部は、移動すべき方向および移動量に応じた制御電流を、支持ワイヤ４を介してフォーカスコイル７に供給する。
すると、フォーカスコイル７により生じる電磁力により、可動部３が光ディスクに対してフォーカス方向（Ｘ方向）にシフトして、対物レンズ２の位置を調整する。
同様に、支持ワイヤ４を介して四つのトラッキングコイル８に供給する電流を制御すれば、トラッキングコイル８により生じる電磁力により、矢印Ｅに示すように、可動部３がトラッキング方向（Ｚ方向）にシフトして、対物レンズ２の位置を調整する。
このようにして、可動部３は、フォーカス方向，トラッキング方向にそれぞれ移動するようにその位置が制御される。
【００３０】
可動部３の本体部２０は平面視で六角形であり、支持台５側で隣り合う二つの傾斜面２２は、二つの永久磁石９にそれぞれ対向している。また、支持台５から遠い方で隣り合う二つの傾斜面２２も、二つの永久磁石９にそれぞれ対向している。
支持台５に近い方の二つのトラッキングコイル８のうち一方の（図３中の左下の）トラッキングコイル８の一方の縦巻線部２３ａは、これに対向する永久磁石９とヨーク３０とが形成する磁界中に位置している。したがって、この縦巻線部２３ａにより生じる電磁力Ｆ1は、このトラッキングコイル８が取付けられた傾斜面２２（図３中の左下の傾斜面２２）とほぼ平行な方向に作用する。
また、この（図３中の左下の）トラッキングコイル８と隣り合うトラッキングコイル８（図３中の右下のトラッキング８）における一方の縦巻線部２３ａは、これに対向する永久磁石９とヨーク３０とが形成する磁界中に位置している。
この縦巻線部２３ａにより生じる電磁力Ｆ2は、このトラッキングコイル８が取付けられている傾斜面２２（図３中の右下の傾斜面２２）とほぼ平行な方向に作用する。その結果、電磁力Ｆ1とＦ2を合成した電磁力Ｆ3が、トラッキング方向（Ｚ方向）とほぼ平行な方向を向いて可動部３に作用する。
支持台５から離れた位置にある二つのトラッキングコイル８（図３中の左上と右上のトラッキングコイル８）に関しても上述と同様に、電磁力Ｆ1とＦ2が作用し、これらを合成した電磁力Ｆ3が可動部３に作用する。
これら二つの電磁力Ｆ3の作用に基づいて、可動部３は、矢印Ｅに示すようにトラッキング方向（Ｚ方向）に移動することができる。
【００３１】
四つの傾斜面２２は四つの永久磁石９にそれぞれ対向しているので、これら四つの傾斜面２２におけるフォーカスコイル７は永久磁石９の磁束と鎖交している。本体部２０の外周面２１のうち傾斜面２２以外の側面２２ａ（図３中の左右の側面２２ａ）は、永久磁石に対向していないので、この側面２２ａにおけるフォーカスコイルによる電磁力は利用されていない。
ところが、本体部２０は平面視で六角形なので、従来の光ピックアップ１０１の本体部１０７の残りの側面１０９の長さ寸法Ｌ0（図８）と比較して、本発明の光ピックアップ１の本体部２０の側面２２ａの長さ寸法Ｌはほぼ半分になっている（図３）。なお、図３中で、従来の光ピックアップ１０１における可動部１０２の矩形の本体部１０７を、鎖線で示している。
その結果、本発明では、フォーカスコイル７による電磁力を有効に利用している割合い（有効長さの割合い）が従来より高くなるので、フォーカスコイル７による電磁力を有効に利用してフォーカス方向の感度を向上させることができる。
【００３２】
対物レンズ２の光軸Ｂは、可動部３の重心とほぼ一致している。本体部２０は、平面視で矩形以外の偶数多面形状（本実施例では、六角形）なので、可動部３の全体が小型化し且つ軽量化する。
また、本体部２０は、その重心を中心とした円形になるべく近い形状である。その結果、可動部３の重心軸線（光軸Ｂとほぼ一致）に対して近い位置と遠い位置との差が、従来の矩形の可動部（図８）と比較して小さくなっている。また、傾斜面２２が、斜めの補強部材（ブレース）としての機能も発揮している。
したがって、可動部３の剛性が向上するので、可動部３の高次共振周波数が高くなって、高次共振時の振動レベルが低減し、高い周波数で良好な光ディスク追従特性を発揮する。
【００３３】
また、フォーカスコイル７は平面視で偶数多面形状をなしているので、フォーカスコイル７の巻回半径が小さくなる。これにより、その巻線の長さが短くなって電気抵抗が少なくなり、フォーカスコイル７によるフォーカス方向の動作感度を高くすることができる。特に、高感度で高次共振の低減が要求されるＤＶＤのブルー系に使用される光ピックアップなどに、本発明は有効である。
さらに、トラッキングコイル８を、円形の対物レンズ２の外周の接線方向に近い方向に向け且つ対物レンズ２に近づけて配置できるので、可動部３の出っ張りが少なくなって可動部３をコンパクトにすることができ、また、可動部３の振動を抑制することができる。
【００３４】
図４は、本発明の光ピックアップと従来の光ピックアップにおける、動作周波数と振動レベルとの関係を示すグラフである。図４中の縦軸，横軸は、振動レベル，動作周波数をそれぞれ示している。
たとえば、図４に示すように、従来の光ピックアップ１０１（図８）の高次共振点ｆ1に対して、本発明の光ピックアップ１の高次共振点ｆ2は高くなっている。すなわち、可動部の高次共振周波数が高くなって高次共振時の振動レベルが低くなり、高い周波数での良好な光ディスク追従特性を発揮できるようになることが分かる。なお、符号ｆ0は、機械的共振点を示している。
【００３５】
次に、本実施例の各種変形例と他の実施例について説明する。
図５（Ａ）〜（Ｆ）は、本実施例の各種変形例にかかる光ピックアップ１ａ〜１ｆの要部の平面図、図６は、他の実施例にかかる光ピックアップ１１の平面図、図７は、図６に示す光ピックアップ１１の要部の斜視図である。
なお、光ピックアップ１ａ〜１ｆ，１１において、図１ないし図３に示す実施例と同一または相当部分には同一符号を付してその説明を省略し、異なる部分のみ説明する。
【００３６】
図５（Ａ）に示す光ピックアップ１ａでは、磁石支持用ヨーク２６ａを全体で一対設け、この磁石支持用ヨーク２６ａに支持される永久磁石９ａを全体で一対設けている。永久磁石９ａは、トラッキングコイル８に対向して配置されている。永久磁石９ａは、フォーカスコイル７とヨーク３０との間で磁気回路を構成し、また、トラッキングコイル８とヨーク３０との間でも磁気回路を構成している。
磁石支持用ヨーク２６ａは、上述の実施例における隣り合う二つの磁石支持用ヨーク２６を連続的に且つ一体的に構成した形状を有している。また、永久磁石９ａも、上述の実施例における隣り合う二つの永久磁石９を連続的に且つ一体的に構成した形状とすることができる。
光ピックアップ１ａによれば、磁石支持用ヨーク２６ａと永久磁石９ａの部品点数を少なくすることができ、組立作業を簡略化することができる。永久磁石９ａを可動部３の外周面２１の周方向に長くすることができるので、フォーカスコイル７による電磁力を大きくして、フォーカス方向の感度をさらに向上させることができる。
【００３７】
図５（Ｂ）に示す光ピックアップ１ｂにおいて、可動部３の本体部２０ｂを、平面視で矩形以外の偶数多面形状（この変形例では、八角形）とすることにより、各トラッキングコイル８をトラッキング方向（Ｚ方向）に対して斜めに配置している。また、フォーカスコイル７とトラッキングコイル８との間でそれぞれ磁気回路を構成する永久磁石９を、トラッキングコイル８に対向して配置している。
可動部３の本体部２０ｂは、平面視で八角形に形成されることにより、外周面２１はトラッキング方向（Ｚ方向）に対して斜めの複数（ここでは、四つ）の傾斜面２２を有している。トラッキングコイル８は、傾斜面２２に取付けられている。
この光ピックアップ１ｂによれば、可動部３の本体部２０ｂが、可動部３の重心軸線（光軸Ｂとほぼ一致）を中心とする円形状により近づくことになるので、可動部３の剛性がさらに向上する。その結果、可動部３の高次共振周波数をさらに高くすることができ、高次共振時の振動レベルをより低減させ、高い周波数でより良好な光ディスク追従特性を発揮する。
【００３８】
図５（Ｃ），（Ｄ），（Ｅ）にそれぞれ示す光ピックアップ１ｃ，１ｄ，１ｅにおいて、可動部３の本体部２０ｃ，２０ｅは、平面視で対物レンズ２に沿う弧状部３２ｃ，３２ｅを有する所定形状になっている。弧状部３２ｃ，３２ｅの例としては、たとえば、円弧部，楕円部または長円部などである。
本体部２０ｃ，２０ｅの外周面２１の全周には、フォーカスコイル７が巻回されている。少なくとも一対（光ピックアップ１ｃ，１ｄでは四つ、光ピックアップ１ｅでは一対）のトラッキングコイル８が、本体部２０ｃ，２０ｅの外周面２１に取付けられている。
トラッキングコイル８は、外周面２１のうち円弧部，楕円部または長円部などの弧状部３２ｃ，３２ｅに取付けられて、トラッキング方向（Ｚ方向）に対して斜めに配置されている。
フォーカスコイル７とトラッキングコイル８との間でそれぞれ磁気回路を構成する永久磁石９，９ｄ，９ｅが、トラッキングコイル８に対向して配置されている。
【００３９】
光ピックアップ１ｃでは、合計四つの永久磁石９が、四つのトラッキングコイル８にそれぞれ対向して配置されている。
光ピックアップ１ｄでは、全体で一対の永久磁石９ｄが設けられている。各永久磁石９ｄは、弧状部３２ｃに並んで配置されている二つのトラッキングコイル８の両方に対向して配置されている。
光ピックアップ１ｅでは、合計二つのトラッキングコイル８と合計二つの永久磁石９ｅが設けられている。各永久磁石９ｅは、弧状部３２ｅに取付けられた一つのトラッキングコイル８に対向している。
永久磁石９，９ｄ，９ｅは、ヨーク部６（図示せず）を構成する磁石支持用ヨーク２６，２６ｄ，２６ｅによりそれぞれ支持されている。
【００４０】
変形例にかかる光ピックアップ１ａ〜１ｅは、前記実施例の光ピックアップ１と同じ作用効果を奏する。また、可動部３の本体部２１に弧状部３２ｃ，３２ｅを形成することにより、本体部２１がより円形に近づくことになり、可動部３の剛性をさらに向上させて、可動部３の高次共振周波数をさらに高くするとともに、高次共振時の振動レベルをより低減させ、高い周波数でさらに良好な光ディスク追従特性を発揮する。
【００４１】
前記実施例および各種変形例にかかる光ピックアップ１，１ａ〜１ｅは、永久磁石が固定側に配置され、可動部３にコイルが取付けられた「ＭＣタイプ」の光ピックアップである。
これに対して図５（Ｆ）に示す光ピックアップ１ｆは、フォーカスコイルとトラッキングコイルが固定側に配置され、永久磁石９が可動部３に取付けられた「ＭＭタイプ」の光ピックアップである。
光ピックアップ１ｆは、対物レンズ２が可動部３のほぼ中央に配置され、少なくとも一対（この変形例では、四つ）の永久磁石９ｆが可動部３の本体部２０の外周面２１に取付けられている。可動部３は、支持ワイヤ（図１）を介して移動可能に支持されている。
本体部２１は、平面視で矩形以外の偶数多面形状（この例では、正六角形）になっている。永久磁石９ｆは、トラッキング方向（Ｚ方向）に対して斜めに配置されている。外周面２１は、トラッキング方向（Ｚ方向）に対して斜めを向く複数（ここでは、四つ）の傾斜面２２を有している。永久磁石９ｆは、傾斜面２２に取付けられている。
【００４２】
永久磁石９ｆとの間でそれぞれ磁気回路を構成するフォーカスコイル７ｆと少なくとも一対（ここでは、四つ）のトラッキングコイル８ｆとが、永久磁石９ｆに対向して固定側に配置されている。
フォーカスコイル７ｆは、ヨーク部６（図１）に設けられた四つのボビン３５に巻線を巻回することにより構成されている。トラッキングコイル８ｆは、ボビン３５において永久磁石９ｆに対向する面に取付けられている。なお、トラッキングコイル８ｆは、空心コイルであってもよいが、ボビン３５に巻枠（他のボビン）を一体的に形成し、この巻枠に巻線を巻回することによりトラッキングコイル８ｆを構成してもよい。
光ピックアップ１ｆによれば、本体部２０が平面視で六角形なので、可動部３の剛性が向上して、この可動部３の高次共振周波数を高くするとともに高次共振時の振動レベルを低減させ、高い周波数で良好な光ディスク追従特性を発揮する。また、前記実施例および各種変形例と同じ作用効果を奏する。
【００４３】
図６，図７に示す光ピックアップ１１では、各永久磁石９は、各トラッキングコイル８の全体に対向してトラッキングコイル８とほぼ平行に配置されている。すなわち、永久磁石９は、トラッキングコイル８の一対の縦巻線部２３ａ，２３ｂと上下の横巻線部２４の全部に対向している。光ピックアップ１１は、これ以外の構成については前記実施例の光ピックアップ１とほぼ同じ構成を有している。
各トラッキングコイル８は、その全体が永久磁石９に対向しているので、この永久磁石９とヨーク３０とが形成する磁界中に位置している。したがって、トラッキングコイル８に電流を流せば、トラッキングコイル８とこれに対向する永久磁石９との間で、反発力または吸引力が発生する。
【００４４】
たとえば、支持台５に近い方と遠い方で且つ右側の（図６中の右側の）二つのトラッキングコイル８が、これらに対向する永久磁石９から反発力Ｆ4をそれぞれ受けるように、この二つのトラッキングコイル８に電流を流す。
また、支持台５に近い方と遠い方で且つ左側の（図６中の左側の）二つのトラッキングコイル８が、これらに対向する永久磁石９から吸引力Ｆ5をそれぞれ受けるように、この二つのトラッキングコイル８に電流を流す。
このとき、反発力Ｆ4と吸引力Ｆ5は、トラッキングコイル８が取付けられた傾斜面２２とほぼ直角な方向に作用する。その結果、二つの反発力Ｆ4と二つの吸引力Ｆ5とを合成した力Ｆ6が、トラッキング方向（Ｚ方向）を向いて可動部３に作用するので、可動部３が、矢印Ｅに示すように、トラッキング方向（この場合は、図６の左方向）に移動することができる。
これとは逆に、可動部３を矢印Ｅに示すように図６の右方向に移動させる場合には、各トラッキングコイル８に流す電流の方向を上記とは逆にすればよい。
【００４５】
この光ピックアップ１１では、前記光ピックアップ１，１ａ〜１ｆと同じ作用効果を奏するとともに、トラッキングコイル８の全体を有効に利用しているので、トラッキングコイル８に作用する力の利用効率が高くなり、トラッキング方向の感度が向上する。
なお、光ピックアップ１１は、図６，図７に示す構成と、前記実施例および各種変形例における各構成とを任意に組み合わせることも可能である。
【００４６】
以上、本発明の各実施例（各種変形例を含む）を説明したが、本発明は、上述の各実施例に限定されるものではなく、本発明の要旨の範囲で種々の変形，付加などが可能である。
なお、各図中同一符号は同一または相当部分を示す。
【産業上の利用可能性】
【００４７】
本発明は、ＤＶＤ，ＣＤなどの記録面上に対物レンズでレーザー光などを集光させて情報の記録，再生などを行う光ディスク装置に取付けられる光ピックアップに適用される。
【図面の簡単な説明】
【００４８】
【図１】図１ないし図５は本発明の一実施例を示す図で、図１は光ピックアップの平面図である。
【図２】図１に示す光ピックアップの要部の斜視図である。
【図３】図１に示す光ピックアップの要部の平面図である。
【図４】本発明と従来の各光ピックアップにおける動作周波数と振動レベルとの関係を示すグラフである。
【図５】前記実施例の各種変形例にかかる光ピックアップの要部の平面図で、図３相当図である。
【図６】他の実施例にかかる光ピックアップの平面図である。
【図７】図６に示す光ピックアップの要部の斜視図である。
【図８】従来の光ピックアップの要部の平面図で、図３相当図である。
【符号の説明】
【００４９】
１，１ａ〜１ｆ  光ピックアップ
２              対物レンズ
３              可動部
４              支持ワイヤ
７，７ｆ        フォーカスコイル
８，８ｆ        トラッキングコイル
９，９ａ，９ｄ〜９ｆ    永久磁石
１１            光ピックアップ
２０，２０ｂ，２０ｃ，２０ｅ    本体部
２１            外周面
２２            傾斜面
２３ａ，２３ｂ  縦巻線部
３２ｃ，３２ｅ  弧状部
Ｚ方向          トラッキング方向
【図１】
2005129191.tif 000003
【図２】
2005129191.tif 000004
【図３】
2005129191.tif 000005
【図４】
2005129191.tif 000006
【図５】
2005129191.tif 000007
【図６】
2005129191.tif 000008
【図７】
2005129191.tif 000009
【図８】
2005129191.tif 000010